(57)【要約】【課題】プリンタドライバUI上での印刷設定変更時に設定変更の可否を判断するプリンタドライバ及び画像形成装置を提供する。【解決手段】ユーザーインターフェース上での設定変更時に設定変更を許可するか否かを判断する判断手段と、判断手段の判断条件となる情報を取得する取得手段と、を備えたプリンタドライバであって、判断手段は、取得手段で取得した条件に基づき、ドライバの設定条件を計算し、計算の結果、設定変更が可能か否かを判断する。【選択図】図１
2012043287.tif 000002
【特許請求の範囲】
【請求項１】
ユーザーインターフェース上での設定変更時に設定変更を許可するかどう否かを判断する判断手段と、
前記判断手段の判断条件となる情報を取得する取得手段と、を備えたプリンタドライバであって、
前記判断手段は、
前記取得手段で取得した条件に基づき、ドライバの設定条件を計算し、計算の結果、設定変更が可能か否かを判断することを特徴とするプリンタドライバ。
【請求項２】
請求項１に記載のプリンタドライバにおいて、
前記判断手段は、
前記判断手段の判断条件となる情報を、印刷するユーザ毎に保持していることを特徴とするプリンタドライバ。
【請求項３】
請求項１または２に記載のプリンタドライバにおいて、
前記判断手段の判断条件となる情報を取得する際に、情報をサーバより取得することを特徴とするプリンタドライバ。
【請求項４】
請求項１から３の何れか一項に記載のプリンタドライバにおいて、
前記判断手段は、
前記判断手段の判断条件となる情報を取得する際に、情報を印刷するプリンタ装置より取得することを特徴とするプリンタドライバ。
【請求項５】
請求項１から４の何れか一項に記載のプリンタドライバにおいて、
前記判断手段は、
前記判断条件の計算結果を保存し、保存情報を判断条件の対象とすることを特徴とするプリンタドライバ。
【請求項６】
請求項１から５の何れか一項に記載のプリンタドライバにおいて、
前記判断手段は、
判断条件となる情報を取得する際に、認証情報を入力することで、取得する判断条件を変更することを特徴とするプリンタドライバ。
【請求項７】
請求項１から６の何れか一項に記載のプリンタドライバにおいて、
前記判断手段は、
前記判断条件について、システム内部から変更を行うことが可能なことを特徴とするプリンタドライバ。
【請求項８】
請求項１から７の何れか一項に記載のプリンタドライバにおいて、
前記判断手段は、前記判断条件について、システム外部から変更を行うことが可能なことを特徴とするプリンタドライバ。
【請求項９】
請求項１から８の何れか一項に記載のプリンタドライバにおいて、
前記判断手段は、
前記判断条件について、システム外部へファイルとして入出力可能なことを特徴とするプリンタドライバ。
【請求項１０】
請求項１から９の何れか一項に記載のプリンタドライバを備えたことを特徴とする画像形成装置。
【発明の詳細な説明】
【技術分野】
【０００１】
本発明は、プリンタドライバ及び画像形成装置に関する。
【背景技術】
【０００２】
画像形成装置が有する機能の設定について、ユーザーはプリンタドライバが提供するUI(Users Interface)を利用して、ホストコンピュータ上で設定可能である。その設定の際に、ユーザーが矛盾した設定をしてしまうことを防止するため、プリンタドライバが各設定の組み合わせに対して禁則条件を設けることで、ユーザーが矛盾した設定をしないようにするという技術が考えられている。また、プリンタドライバに対し、印刷を行う上での禁則条件だけでなく、“片面印刷が行えないようにする"、“集約印刷をオフにできないようにする"等の機能を制限するための、禁則条件を追加するという技術が考えられており既に知られている。
【０００３】
しかし、通常の機能を制限するための禁則条件の追加では、制限する目的によっては必要以上の禁則がかかる場合がある。例えば、印刷コストの削減、ということが目的でカラー出力に関して禁則を設けた場合、制限されたユーザーはカラー出力が一切できなくなってしまう。
【０００４】
印刷コストという視点で見た場合、モノクロ出力で集約なしで印刷した場合と、カラー出力であったとしても、集約印刷を行った場合とで、出力枚数の関係で、印刷コストが同じになるのならば、目的としてはいずれの設定でも良いはずで有るのに対し、カラー出力ができない、というケースが発生してしまう。
【０００５】
また、月毎のトータルコストで見た場合、印刷毎の条件だけで判断する以外にも、“カラー印刷は月10回まで"というような制限を設けるといった方法も考えられる。このように、固定の禁則条件の追加では、禁則を設ける目的によっては必要以上の制限が発生してしまうという問題があった。
【０００６】
このため、プリンタの使用する機能を制限する目的で、設定されている印刷条件を取得し、取得した印刷条件をプリンタドライバの印刷時の設定に反映する技術が提案されている（例えば、特許文献１参照。）。
【発明の概要】
【発明が解決しようとする課題】
【０００７】
しかしながら、特許文献１に記載の技術では、固定の禁則条件の追加では、禁則を設ける目的によっては必要以上の制限が発生してしまうという問題は解消できていない。
【０００８】
そこで、本発明の目的は、プリンタドライバUI上での印刷設定変更時に設定変更の可否を判断するプリンタドライバ及び画像形成装置を提供することにある。
【課題を解決するための手段】
【０００９】
上記課題を解決するため、本発明の請求項１に係る発明は、ユーザーインターフェース上での設定変更時に設定変更を許可するか否かを判断する判断手段と、前記判断手段の判断条件となる情報を取得する取得手段と、を備えたプリンタドライバであって、前記判断手段は、前記取得手段で取得した条件に基づき、ドライバの設定条件を計算し、計算の結果設定変更が可能か否かを判断することを特徴とする。
【００１０】
請求項２記載の発明は、請求項１に記載の発明において、前記判断手段は、前記判断手段の判断条件となる情報を、印刷するユーザー毎に保持していることを特徴とする。
【００１１】
請求項３記載の発明は、請求項１または２に記載の発明において、前記判断手段の判断条件となる情報を取得する際に、情報をサーバより取得することを特徴とする。
【００１２】
請求項４記載の発明は、請求項１から３の何れか一項に記載の発明において、前記判断手段は、前記判断手段の判断条件となる情報を取得する際に、情報を印刷するプリンタ装置より取得することを特徴とする。
【００１３】
請求項５記載の発明は、請求項１から４の何れか一項に記載の発明において、前記判断手段は、前記判断条件の計算結果を保存し、保存情報を判断条件の対象とすることを特徴とする。
【００１４】
請求項６記載の発明は、請求項１から５の何れか一項に記載の発明において、前記判断手段は、判断条件となる情報を取得する際に、認証情報を入力することで、取得する判断条件を変更することを特徴とする。
【００１５】
請求項７記載の発明は、請求項１から６の何れか一項に記載の発明において、前記判断手段は、前記判断条件について、システム内部から変更を行うことが可能なことを特徴とする。
【００１６】
請求項８記載の発明は、請求項１から７の何れか一項に記載の発明において、前記判断手段は、前記判断条件について、システム外部から変更を行うことが可能なことを特徴とする。
【００１７】
請求項９記載の発明は、請求項１から８の何れか一項に記載の発明において、前記判断手段は、前記判断条件について、システム外部へファイルとして入出力可能なことを特徴とする。
【００１８】
請求項１０記載の発明は、請求項１から９の何れか一項に記載のプリンタドライバを備えた画像形成装置であることを特徴とする。
【発明の効果】
【００１９】
本発明によれば、プリンタドライバUI上での印刷設定変更時に、ユーザーが指定した印刷設定変更を許可するか否かを判断するための、判断条件となる情報を取得し、取得した判断条件に基づき印刷設定変更内容について判定を行い、設定変更の許可、不許可を決定するので、禁則を設ける目的によっては必要以上の制限が発生してしまうことを防止したプリンタドライバ及び画像形成装置の提供を実現することができる。
【図面の簡単な説明】
【００２０】
【図１】本発明に係るプリンタドライバの一実施形態を示したブロック図である。
【図２】図１に示したプリンタドライバの設定変更時の処理を説明するためのフローチャートの一例である。
【図３】（ａ）、（ｂ）は、本発明に係るプリンタドライバの印刷設定条件の一例を示し、（ｃ）、（ｄ）は、印刷設定条件判断例の一例を示す図である。
【図４】（ａ）、（ｂ）は、本発明に係るプリンタドライバの印刷設定条件の他の一例を示し、（ｃ）、（ｄ）は、印刷設定条件判断例の他の一例を示す図である。
【図５】（ａ）、（ｂ）は、本発明の実施形態におけるUIの表示例である。
【図６】本発明に係るプリンタドライバの他の実施形態を示す図である。
【図７】図１に示したプリンタドライバを適用した画像形成装置の概念図である。
【発明を実施するための形態】
【００２１】
本発明の実施の形態について図面を参照して説明する。
図１は、本発明に係るプリンタドライバの一実施形態を示したブロック図である。
同図において、１０はプリンタドライバであり、UI(Users Interface)モジュール２０と、描画モジュール７０と、を有する。
UIモジュール２０はUI表示部３０、禁則処理部４０、設定変更判断処理部５０、及び設定変更条件部６０と、を有する。
【００２２】
UIモジュール２０は、プリンタドライバUIモジュールである。ドライバのUIモジュールは、本実施形態では、ドライバUIモジュール内の、設定変更判断処理部50と設定変更条件部６０とを対象としている。
【００２３】
UI表示部３０は、ドライバ設定に基づきUI表示を行うモジュールである。禁則処理部４０は、印刷設定変更時にその設定変更内容が印刷設定全体として可能か否かを判断する（例：ステープルユニットが無いのにステープルを行うような設定は不可と判断する）。
設定変更判断処理部５０は、印刷設定変更時に禁則処理部４０にて設定変更可能と判断された場合に禁則条件とは別に印刷設定変更が可能か否かを判断するモジュールである。
設定変更条件部６０は、設定変更判断処理部５０が判断をする際に使用する判断条件を保持するモジュールである。
描画モジュール７０については、本発明はドライバUIでの設定変更時の処理に関するものなので、特に言及しない。
設定変更条件編集モジュール８０は、設定変更条件部６０の設定変更条件を編集するモジュールである。
【００２４】
図２は、図１に示したプリンタドライバの設定変更時の処理を説明するためのフローチャートの一例である。
各ステップについて説明する。
ステップ100: 機能Aが変更されたか：
本発明の特徴は設定変更時に判断するものである。
設定の変更が行われた場合(ステップ100/YES)、変更可否を判断する。
ここで、任意の印刷設定機能Aが変更された場合、以下の設定変更可否を判断する処理を行っていく。
【００２５】
ステップ110: 変更内容は禁則に該当するか：
設定変更された機能Aについて、まずプリンタドライバが持つ禁則に該当するか否か確認する。
禁則に該当する場合(ステップ110/YES)、すなわち、設定内容が印刷不可能な設定である場合、設定変更条件の判断以前に設定を変更前に戻して設定変更処理を終了する(ステップ140)。
（ステープルユニットがついていないプリンタに対してステープルをするような設定にした場合等）
禁則に該当しない場合(ステップ110/NO)、すなわち、変更した設定内容が印刷可能な設定である場合、設定変更条件を満たすか否かの判断する処理を行う(ステップ120)。
（両面ユニットがついているプリンタに対して両面印刷するような設定にした場合等）
【００２６】
ステップ120:設定内容は設定変更条件を満たすか：
ステップ110で禁則処理には該当しないと判断された機能Aの設定変更に対して、設定変更が設定変更条件を満たすか否かを判断する。
設定変更条件は他の特定の印刷設定1つによって判断される、というものだけでなく、他の複数の印刷設定によって判断することも可能である。
引き継ぐ対象としてドライバBが指定されたか否かを判断する。
引き継ぐ対象を指定しない場合、引き継ぎ処理は行われない。
【００２７】
ステップ130: 機能Aの設定変更を確定する：
ステップ120で設定変更条件を満たしていると判断された場合、ユーザーが変更した機能Aの設定変更を確定する。
【００２８】
ステップ140: 機能Aの設定を変更前に戻す：
ステップ110の禁則判断または、ステップ120の設定変更条件で設定変項負荷であると判断された場合、ユーザーが変更した機能Aの設定変更を変更前に戻す。
【００２９】
なお、これは実施例の一つであり、ステップ120の設定変更条件判断時に、どのユーザーによる設定変更かで条件を変更するフローを追加することや、システム外部に対し、設定変更条件を読み込みに行くというフローを追加する、また、設定変更条件の判断時に設定履歴などの他のファイルの情報を読み込み利用することも考えられる。
また、設定変更条件の判断を機能変更毎に行わずに、印刷実行時等のタイミングで一括判断する、というフローチャートであってもよい。
【００３０】
図３（ａ）、（ｂ）は、本発明に係るプリンタドライバの印刷設定条件の一例を示し、図３（ｃ）、（ｄ）は、印刷設定条件判断例の一例を示す図である。
具体的な印刷設定条件および印刷設定判断例について説明する。
印刷設定条件：
例として、印刷設定の組み合わせにより計算されるスコアにより設定の可否を決定する印刷設定条件を説明する。
以下の印刷設定条件を持つ
カラー設定：設定として、カラー・モノクロを持ち、カラーの場合はスコア20、モノクロの場合はスコア10とする。
両面：設定として、ON/OFFを持ち、ONの場合はトータルスコアを半減（0.5倍）し、OFFの場合はスコアの変動はしない（1.0倍）
集約：設定として、1in1,2in1,4in1を持ち、それぞれトータルスコアを1.0倍、0.5倍、0.25倍する。
用紙サイズ：判断条件としてA3以上か、A3未満かどうかで判断し、A3以上の場合スコア20、A3未満の場合スコア10とする。
【００３１】
また、ユーザー毎に以下の条件に分かれるものとする。
ユーザーA: トータルスコア10以下の場合設定変更可能
ユーザーB：  トータルスコア20以下の場合設定変更可能
ユーザーC:  トータルスコアに制限を設けず、常に設定変更可能
以上の条件である場合、印刷設定を表にある通りに設定した場合、次のように判断される。
【００３２】
設定：
カラー設定：カラー
両面設定：ON
集約設定：1in1
用紙サイズ:A4
【００３３】
以上の設定ではスコアは以下のようになる
設定ごとのスコア：カラー（+20） , 両面(x0.5)、  集約(x1.0)、  用紙サイズ(+10)
トータルスコア：(20 + 10) x 0.5 x1.0 = 15
【００３４】
以上により、この設定変更は、ユーザーAは設定できず、ユーザーB,Cのみ許可されることになる。
上記の例の場合、ユーザーAが設定変更を行うためには、集約を1in1以外にする（15x0.5=7.5）や、カラー設定をモノクロにする（(10+10)x0.5x1.0=10）等の変更を行う必要がある。
【００３５】
図４（ａ）、（ｂ）は、本発明に係るプリンタドライバの印刷設定条件の他の一例を示し、図４（ｃ）、（ｄ）は、印刷設定条件判断例の他の一例を示す図である。
具体的な印刷設定条件および印刷設定判断例について説明する。
スコアの計算については図３（ａ）〜（ｄ）と同様に考えるものとする。
この例では、図３（ａ）〜（ｄ）での条件判断とは異なり、印刷毎ではなく、月に利用できるスコアを制限したものとなる。
図４（ａ）、（ｂ）の場合、ユーザー毎につきごとのスコア制限を設ける。
ユーザーAでは100、ユーザーBでは200、ユーザーCには制限を設けない。この場合、各印刷時に設定に応じてスコアを減算し、自分が持つスコア内で印刷設定の可否を判断する。
【００３６】
図４（ｃ）の場合、印刷設定によるトータルスコアは10となる。
ここで、ユーザー毎に月残スコアを見ると、ユーザーAは0、ユーザーBは50、ユーザーCは制限なし、となっている。
この場合、ユーザーAはスコアの残りがないため、この印刷設定は不可と判断される。
ユーザーB、ユーザーCは設定可能である。
ただし、ユーザーBも同設定ではスコア10を消費するため、同設定で印刷可能なのはあと5回（スコア50分）となる。
上記の例の場合、ユーザーAが印刷するためには、カラー設定をスコア消費のないモノクロにする必要がある。
【００３７】
図５（ａ）、（ｂ）は、本発明の実施形態におけるUIの表示例である。
印刷設定変更条件部の処理の結果が反映されたドライバUIの例を示す。
同設定でも、ユーザーAの場合は、両面設定が自由に設定可能だが、ユーザーBの場合、両面設定が不可（ONで固定）となる場合がある。
例としては以下のような場合である。
条件：
ユーザーA:スコア20以下で設定可能
ユーザーB：スコア10以下で設定可能
【００３８】
スコア計算：
カラー設定：カラー(+２０)、モノクロ(+10)
両面設定：ON(x0.5), OFF(x1.0)
【００３９】
この場合、ユーザーBはカラー設定をカラーにした場合、スコア制限10を満たすため、両面がONで固定となる。
一方、ユーザーAはスコア制限に該当しないため、両面の設定は許可され、自由に設定することができる。
【００４０】
図６は、本発明に係るプリンタドライバの他の実施形態を示す図である。
同図に示す実施形態は、設定変更条件編集モジュールをドライバの内部に持つケースである。
【００４１】
同図に示すプリンタドライバは、設定変更条件編集モジュールをシステム内部に保持し、設定変更条件の編集を行う。
【００４２】
以上において、本実施形態によれば、プリンタドライバUI上での印刷設定変更時に、変更しようとしている設定内容について、指定した条件により計算し、その結果により設定変更の可否を判断することができる。
【００４３】
図７は、図１に示したプリンタドライバを適用した画像形成装置１００の概念図である。
図７の上側に示す画像読取装置は、原稿１０５を搭載するコンタクトガラス１０１、シートスルー用読み取り窓１０２、白レベル調整やシェーディング補正データ生成用の基準白板１０３、原稿１０５を照射する光源１０７及び第１ミラー１０８が搭載される第１キャリッジ１０９、第２ミラー１１０、第３ミラー１１１が搭載される第２キャリッジ１１２、キャリッジ位置を検出するために備えられたホームポジションセンサ（以下、ＨＰＳと記す）１１７、ＣＣＤイメージセンサ（以下、ＣＣＤと記す）１１４上に縮小結像させるレンズユニット１１３、光電変換素子であるＣＣＤ１１４を搭載した画像読取回路１１５、プリンタドライバを有する画像処理回路１１６、第１キャリッジ１０９、第２キャリッジ１１２を駆動するスキャナ駆動モータ、及び原稿センサ等から構成される（例えば、特開２００５−７７５２０号公報参照）。
【００４４】
上記構成において、コンタクトガラス１０１上に原稿１０５が搭載された場合に、光源１０７を点灯し、第１キャリッジ１０９および第２キャリッジ１１２を、図示しない制御部からの制御信号によってスキャナ駆動モータを回転動作させることにより図の右方向に移動走査して原稿１０５の画像情報を読み取る方式と、第１キャリッジ１０９および第２キャリッジ１１２は停止した状態のまま、光源１０７を点灯し、シートスルー読み取り用コンタクトガラス１０２を介して原稿搬送装置１０４によって搬送される他の原稿１０６を照射して原稿画像情報を読み取る方式とが選択可能である。
【００４５】
第１キャリッジ１０９を走査して原稿１０５を読み取る場合には、原稿１０５の読み取りに先立って基準白板１０３のデータを取得しシェーディング補正データを生成した後メモリに記憶しておき、そのシェーディング補正用データで原稿１０５の画像データ正規化することによって、画像読取装置における光量分布ムラやＣＣＤの感度ムラを補正し、原稿１０５の画像情報を高品質に読み取っている。
【００４６】
シェーディング補正処理が行われた画像データは、図示しない画像処理部に出力される。
第１キャリッジ１０９は停止した状態のまま、原稿１０６を搬送して原稿画像データを読み取るシートスルー読み取りの場合には、原稿１０６の読み取りに先立ってまず、第１キャリッジ１０９を基準白板１０３の下に移動させてシェーディング補正データを生成しシートスルー読み取り位置に復帰してから原稿の搬送を開始して原稿読み取り動作を開始する。
【００４７】
一方、画像形成装置本体の構成について、図７を参照して説明する。
回転可能に支持されて図７の矢印方向に回転する感光体２０１の外周部には、除電装置Ｌと、クリーニング装置２０２と、帯電装置２０３と、現像装置２０５とが配設されている。
【００４８】
感光体２０１の外周部における帯電装置２０３と現像装置２０５との間には、露光装置２０４から発せられる光情報を入射させるスペースが確保されている。
図７に示す構成では感光体２０１が４個（２０１ａ、２０１ｂ、２０１ｃ、２０１ｄ）あるが、現像装置２０５が扱う色材（トナー）の色が異なるのみであり、それぞれの外周部に設けられる画像形成用の上述した部品構成は同じである。
【００４９】
感光体２０１は、直径が３０ｍｍから１００ｍｍ程度のアルミニュム円筒表面に、光導電性物質である有機半導体の層を設けて構成され、その一部が中間転写ベルト（第１の顕像担持手段）２１０に接している。
【００５０】
中間転写ベルト２１０は、回転するローラ２１１、２１２、２１３、２１４により支持され、図７の矢印方向に移動可能に張架されている。この中間転写ベルト２１０の裏側（ループの内側）には、第１の転写手段としてのローラ２１２が感光体２０１の近傍に配備され、感光体２０１上の顕像を中間転写ベルト２１０に転写させる。
【００５１】
中間転写ベルト２１０のベルトループの外側における、中間転写ベルト２１０から顕像を記録媒体または裏面用中間転写ベルト（第２の顕像担持手段）２００に転写する位置の下流に、中間転写ベルト用クリーニング装置２５０が配設されている。このクリーニング装置２５０のブラシは、中間転写ベルト２１０から顕像が他に転写された後でベルト表面に残留する不要なトナーを拭い去る。
【００５２】
図７はブラシローラが裏面用中間転写ベルト２００の表面から離れた状態にある。このブラシローラは支点２５０Ａを中心として揺動可能に設けられ、裏面用中間転写ベルト２００表面に接離可能な構造になっている。
中間転写ベルト２１０から転写されたトナー像を記録媒体Ｐに転写する以前、すなわち裏面用中間転写ベルト２００がトナー像を担持しているときは離れた状態とし、記録媒体Ｐへの転写が行われてクリーニングが必要となったとき、ブラシローラは図７での反時計方向に揺動し接触される。
除去された不要トナーはトナー収納部２５０Ｂに集められる。
【００５３】
露光装置２０４は公知のレーザ方式によるもので、フルカラー画像形成に対応した光情報を、一様に帯電された感光体２０１表面に潜像として照射する。この露光装置２０４としては、ＬＥＤアレイと結像手段とから成る露光装置を用いてもよい。
【００５４】
このように、上述した感光体２０１と、クリーニング装置２０２と、帯電装置２０３と、露光装置２０４と、現像装置２０５と、除電装置Ｌと、第１の転写手段２１２とが、中間転写ベルト２１０に転写する顕像（トナーによる像）を生成する作像手段として機能する。
【００５５】
中間転写ベルト２１０は、基体の厚みが５０μｍ〜６００μｍの樹脂フィルムあるいはゴムを基体にしたベルトであり、感光体２１１からトナーを転写可能とする抵抗値を備える。
この中間転写ベルト２１０に対して図７の右方には、ベルト状の裏面用中間転写ベルト（第２の顕像担持手段）２００が配設されている。この裏面用中間転写ベルト２００は、回転ローラ２１６、２１７、２１９により支持され、図７の矢印方向に移動可能に張架されており、裏側（ループの内側）には、第２の転写手段２1８が配設されている。裏面用中間転写ベルト２００によるベルトループの外側に、この裏面用中間転写ベルト用クリーニング装置２５０、チャージャＣＨ、などが配設されている。
【００５６】
上述した第２の転写手段２１８と、ローラ２１６、２１７、２１９と、中間転写ベルト２１０を支持するローラ２１４とにより、中間転写ベルト２１０と裏面用中間転写ベルト２００とが接触し、あらかじめ定められた転写ニップを形成する。
【００５７】
裏面用中間転写ベルト２００は、基体の厚みが５０μｍ〜６００μｍの樹脂フィルムあるいはゴムを基体にしたベルトで、中間転写ベルト２１０からトナーを転写可能とする抵抗値を備えるベルトである。
【００５８】
記録媒体（用紙）Ｐは図７の下方の給紙装置（給紙カセット）２２６−１、２２６−２に収納されており、最上にある用紙が給紙ローラ２２７で１枚ずつ、複数のガイド２２９を経てレジストローラ対２２８に搬送される。
記録媒体Ｐが搬送されるさらに下流には、定着用加熱手段２３０、排紙ガイド対２３１、排紙ローラ対２３２、排紙スタック部２４０が配設されている。
【００５９】
図７における中間転写ベルト２１０の上方で排紙スタック部２４０の下方には、補給用のトナーが収納できる収納部ＴＳが設けてある。トナーの色はマゼンタ、シアン、イエロー、ブラックの四色があり、カートリッジＴＣの形態にされている。このカートリッジＴＣからは、粉体ポンプ等により対応する色の現像装置に適宜補給される。
【００６０】
こうした装置本体の一部であるフレーム２５１は、開閉支軸２５１Ａを中心として、回動・開放が可能な構造にされている。このため、ユーザーはこのフレーム２５１を開いた状態とすることにより記録媒体の搬送路を大きく開くことができ、ジャムが発生した場合の記録媒体（用紙）の処理を容易にしている。
【００６１】
また、上述した記録媒体Ｐへの画像形成を行う装置本体の上部に図７に示した画像読み取り装置が支持部２６６を介して連設され、この画像読み取り装置により読み取られた画像データを上述した装置本体が記録媒体Ｐに印刷することで、コピー動作を可能にするよう構成されている。
【００６２】
画像読み取り装置の外周部には、操作・表示部（表示手段、かつ入力手段）が設けられている。この操作・表示部は、ユーザーに各種の操作情報を表示により通知すると共に操作入力を受けるタッチパネルや、テンキーなど各種のボタンを備える。
ユーザーは、この操作・入力部により、コピーの片面／両面切り替え、コピー動作の開始、コピー枚数の設定、コピー機能とプリンタ機能との切り替えなどの各種操作を行う。
【００６３】
なお、上述した実施の形態は、本発明の好適な実施の形態の一例を示すものであり、本発明はそれに限定されることなく、その要旨を逸脱しない範囲内において、種々変形実施が可能である。
【符号の説明】
【００６４】
１０    プリンタドライバ
２０    ＵＩモジュール
３０    ＵＩ表示部
４０    禁則処理部
５０    設定変更判断処理部
６０    設定変更条件部
７０    描画モジュール
８０    設定変更条件編集モジュール
１００    画像形成装置
１０５    原稿
１１６    画像処理回路
２００    裏面用中間転写ベルト
２０１    感光体
２１０    中間転写ベルト
２１２    ローラ
２２６−１    給紙装置（給紙カセット）
２３０    定着用加熱手段
２３１    排紙ガイド対
【先行技術文献】
【特許文献】
【００６５】
【特許文献１】特開２００９−０１５７９８号公報
【図１】
2012043287.tif 000003
【図２】
2012043287.tif 000004
【図３】
2012043287.tif 000005
【図４】
2012043287.tif 000006
【図５】
2012043287.tif 000007
【図６】
2012043287.tif 000008
【図７】
2012043287.tif 000009